(57)【要約】【課題】筐体の開口部を覆う蓋において、蓋を構成する内カバーと外カバーとを接着する接着部の剥離現象を抑えながら、内カバーと外カバーの両方を容易に取り外すことができる電子機器を提供すること。【解決手段】開口部１７を設けた筐体１１と、開口部１７を覆い、開口部１７の周壁の内面全周に接触するパッキン１６を備えた内カバー１５と、内カバー１５と接着部１４を介して接着され、筐体１１の外装面の一部である外カバー１３と、内カバー１５が、外カバー１３の外周より突出する突出部１５２と、を備える。【選択図】図３
2013046197.tif 000002
【特許請求の範囲】
【請求項１】
開口部を設けた筐体と、
前記開口部を覆い、前記開口部の周壁の内面全周に接触するパッキンを備えた内カバーと、
前記内カバーと接着部を介して接着され、前記筐体の外装面の一部である外カバーと、
前記内カバーが、前記外カバーの外周より突出する突出部と、
を有する電子機器。
【請求項２】
前記突出部が、前記外カバーと略平行に配置され、前記外カバーの外周より突出する第１突出部と、前記第１突出部から外カバーの厚み方向に突起する突起部と、前記突起部から前記外カバーと略平行に突出する第２突出部とを備えた請求項１記載の電子機器。
【請求項３】
開口部を設けた筐体と、
前記開口部を覆い、前記開口部の周壁の内面全周に接触するパッキンを備えた内カバーと、
前記内カバーと接着部を介して接着され、前記筐体の外装面の一部である外カバーと、を備え、
前記外カバーの一部が、内カバーの一部を挟持する電子機器。
【請求項４】
前記外カバーが、前記内カバーの外周から突出する突出部と、前記突出部から前記内カバーの厚み方向に突起する突起部と、前記突起部から前記内カバーの前記接着部が設けられた面と反対側の面に延伸された延伸部とを備えた請求項３記載の電子機器。
【請求項５】
前記外カバーが、前記内カバーの外周から突出する突出部と、前記突出部から前記内カバーの厚み方向に突起する突起部と、前記突起部から、前記突出部の突出方向とは反対の方向へ延伸された延伸部とを備えた請求項３記載の電子機器。
【発明の詳細な説明】
【技術分野】
【０００１】
本発明は、携帯電話機などの電子機器に関し、特に、防水機能を備えた携帯端末装置に関する。
【背景技術】
【０００２】
近年、携帯電話機等のような電子機器は、使用環境の制約を軽減するため、市場では堅牢性、防塵性を高めた電子機器が要望されている。また、堅牢性、防塵性とともに、電子機器の筐体内部に水が浸入しないように防水性を高めることが求められている。
【０００３】
そこで、従来の電子機器は、本体と、本体に取り付け可能なバッテリーカバーとを備え、バッテリーカバーは弾性体を有する環状の突起部を有し、本体は上記突起部に対応し、かつ、上記弾性体が圧入される溝を有することで防水性を確保している（例えば、特許文献１参照）。
【先行技術文献】
【特許文献】
【０００４】
【特許文献１】特開２００８−２８８１７４号公報
【発明の概要】
【発明が解決しようとする課題】
【０００５】
また、近年では、図７に示すような電池収納部の周壁の内面全周に接触するＯリングなどのパッキン７６を備えた内カバー７５と、筐体７１の外装面の一部を有す外カバー７３と、内カバー７５と外カバー７３とを接着する接着層７４から構成された電池蓋を有する電子機器が提案されている。また、このような電子機器では、筐体７１に設けられた電池収納部の周壁に凸部が形成されており、内カバー７５には前記凸部の形状に沿った凹部が形成されており、電池収納部の内壁に形成された凸部と内カバー７５の凹部が嵌めあわさることで、電池蓋を筐体７１に固定することを可能としている。
【０００６】
しかしながら、電池蓋の取り外しを行う際に、ユーザは外装面の一部となる外カバー７３を持ち上げることによって電池蓋の取り外すことになる。したがって、筐体７１に設けられた電池収納部の凸部と、内カバー７５の凹部との嵌合により、電池蓋を外す方向とは反対向きの抵抗が発生する。これにより、内カバー７５と外カバー７３とを接着している接着部７４において剥離現象が生じるおそれがある。
【０００７】
本発明は、上記事情に鑑みてなされたもので、剥離現象を抑えながら、ユーザが容易に取り外すことができるカバーを備えた電子機器を提供することを目的とする。
【課題を解決するための手段】
【０００８】
本発明の電子機器は、開口部を設けた筐体と、前記開口部を覆い、前記開口部の周壁の内面全周に接触するパッキンを備えた内カバーと、前記内カバーと接着部を介して接着され、前記筐体の外装面の一部である外カバーと、前記内カバーが、前記外カバーの外周より突出する突出部を備えた構成を有する。
【０００９】
この構成により、開口部の開閉動作を実施する際に、内カバーの突出部による開閉作業が可能となり、接着部を介した外カバー部の使用を抑制するため、接着部が剥離方向に荷重が負荷されることを軽減できる。
【００１０】
また、本発明の電子機器は、前記突出部が、前記外カバーと略平行に配置され、前記外カバーの外周より突出する第１突出部と、前記第１突出部から外カバーの厚み方向に突起する突起部と、前記突起部から前記外カバーと略平行に突出する第２突出部とを備えた構成を有する。
【００１１】
この構成により、開口部の開閉動作を実施する際に、内カバーの第２突出部による開閉作業が可能となり、接着部を介した外カバー部の使用を抑制するため、接着部が剥離方向に荷重が負荷されることを軽減できる。
【００１２】
また、本発明の電子機器は、開口部を設けた筐体と、前記開口部を覆い、前記開口部の周壁の内面全周に接触するパッキンを備えた内カバーと、前記内カバーと接着部を介して接着され、前記筐体の外装面の一部である外カバーと、を備え、前記外カバーの一部が、内カバーの一部を挟持する構成を有する。
【００１３】
この構成により、外カバーの上記一部によって開口部の開閉動作を実施する際に、接着部を固定した状態で開閉作業が可能となるため、外カバーを開閉動作に用いても、接着部の剥離現象が発生することを抑制する。
【００１４】
また、本発明の電子機器は、前記外カバーが、前記内カバーの外周から突出する突出部と、前記突出部から前記内カバーの厚み方向に突起する突起部と、前記突起部から前記内カバーの前記接着部が設けられた面と反対側の面に延伸された延伸部とを備えた構成を有する。
【００１５】
この構成により、接着部を固定した状態で開閉作業が可能となるため、外カバーを開閉動作に用いても、接着部の剥離現象が発生することを抑制する。
【００１６】
また、本発明の電子機器は、前記外カバーが、前記内カバーの外周から突出する突出部と、前記突出部から前記内カバーの厚み方向に突起する突起部と、前記突起部から、前記突出部の突出方向とは反対の方向へ延伸された延伸部とを備えた構成を有する。
【００１７】
この構成により、接着部を固定した状態で開閉作業が可能となるため、外カバーを開閉動作に用いても、接着部の剥離現象が発生することを抑制する。
【発明の効果】
【００１８】
本発明に係る電子機器によれば、内カバーと外カバーとを接着する接着部の剥離現象を抑えながら、内カバーと外カバーの両方を容易に取り外すことができる。
【図面の簡単な説明】
【００１９】
【図１】本発明の実施形態１に係る携帯端末装置の分解斜視図
【図２】本発明の実施形態１に係る携帯端末装置の斜視図
【図３】本発明の実施形態１に係る携帯端末装置の電池蓋付近のＡ−Ａ断面図
【図４】本発明の実施形態２に係る携帯端末装置の分解斜視図
【図５】本発明の実施形態２に係る携帯端末装置の斜視図
【図６】本発明の実施形態２に係る携帯端末装置の電池蓋付近のＢ−Ｂ断面図
【図７】従来の電子機器を示す図
【発明を実施するための形態】
【００２０】
以下、本発明を実施するための形態について、図面を参照しながら説明する。なお、ここでは、携帯端末装置として、折畳み式携帯電話機に適用した例を説明する。
【００２１】
（実施の形態１）
図１は、本発明の実施形態１に係る携帯端末装置の分解斜視図である。図２は、本発明の実施形態１に係る携帯端末装置の斜視図である。図３は、本発明の実施形態１に係る携帯端末装置の電池蓋付近のＡ−Ａ断面図である。
【００２２】
図１に示すように、携帯端末装置１０は、筐体１１の一部に内蔵式の電池構造を有する。ここで、筐体１１は、絶縁体である樹脂の成形品、たとえば非導電性のＡＢＳ樹脂やポリカーボネイト材などによって構成される。
【００２３】
また、携帯端末装置１０において内蔵式の電池（図示せず）を取り外し可能にするため、筐体１１に開口部１７を設け、電池蓋１２を構成する部品が開口部１７に装着される。
【００２４】
さらに、電池蓋１２は、筐体１１の外装面の一部である外カバー１３と、内カバー１５と、外カバー１３と内カバー１５とを接着する接着部１４と、内カバー１５に設けられ、開口部１７の周壁の内面全周に接触するパッキン１６とから構成される。この構成により、携帯端末装置１０は、開口部１７の防水性を確保している。
【００２５】
なお、外カバー１３は筐体１１と同色で同じ質感を与えるＡＢＳ樹脂やポリカーボネートといった樹脂材料もしくはＳＵＳやマグネシウムといった金属材料で形成される。内カバー１５はＡＢＳ樹脂などといった樹脂材料によって形成される。接着部１４はＵＶ接着や熱溶着などよって形成される。また、パッキン１６はシリコンゴムなどの弾性材料によって形成される。
【００２６】
また、図３に示すように、筐体１１に凹部１８を設け、内カバー１５のうち、−Ｚ方向に延伸された部分の先端に凹部１８に嵌め込まれる係止爪１５１を備える。
【００２７】
さらに、電池蓋１２の取り外しの工程を考慮し、内カバー１５は、外カバー１３と略平行に配置され、外カバー１３の外周よりも−Ｙ方向に突出する第１突出部１５２と、第１突出部１５２から外カバー１３の厚み方向（ここでは＋Ｚ方向）に突起する突起部１５３と、突起部１５３から外カバー１３と略平行に−Ｙ方向へ延伸された第２突出部１５４とを備える。
【００２８】
また、パッキン１６は内カバー１５と筐体１１のパッキン受け溝部１９の間によって圧縮されることによって開口部１７の防水性が確保される。なお、パッキン１６は内カバー１５と接着材などによって接着されてもよい。
【００２９】
以下、上述のように構成された携帯端末装置１０の電池蓋１２の取外し方法について説明する。
【００３０】
図２および図３に示すように、筐体１１に電池蓋１２が取り付けられている状態では、筐体１１の凹部１８と内カバーの係止爪１５１における嵌め込みにより、固定されている。上記状態において、内カバー１５の第２突出部１５４を基点として電池蓋１２を＋Ｚ方向に引き上げると、筐体の凹部１８と内カバーの係止爪１５１との係合が解除され、電池蓋１２を取り外すことができる。
【００３１】
この際、内カバー１５上に配置された外カバー１３が単独で引き上げられるのではなく、接着部１４を介して接着された内カバー１５を基点として引き上げられるため、接着部１４における剥離方向の力が作用することを抑制し、接着部１４における電池蓋１２の脱着時の剥離現象を防止することができる。
【００３２】
（実施の形態２）
図４は、本発明の実施形態２に係る携帯端末装置の分解斜視図である。図５は、本発明の実施形態２に係る携帯端末装置の斜視図である。図６は、本発明の実施形態２に係る携帯端末装置の電池蓋付近のＢ−Ｂ断面図である。
【００３３】
図４に示すように、携帯端末装置２０は、筐体２１の一部に内蔵式の電池構造を有する。ここで、筐体２１は、絶縁体である樹脂の成形品、たとえば非導電性のＡＢＳ樹脂やポリカーボネイト材などによって構成される。
【００３４】
また、携帯端末装置２０において内蔵式の電池（図示せず）を取り外し可能にするため、筐体２１に開口部２７を設け、電池蓋２２を構成する部品が開口部２７に装着される。
【００３５】
さらに、電池蓋２２は、筐体２１の外装面の一部である外カバー２３と、内カバー２５と、外カバー２３と内カバー２５とを接着する接着部２４と、内カバー２５に設けられ、開口部２７の周壁の内面全周に接触するパッキン２６とから構成される。この構成により、携帯端末装置２０は、開口部２７の防水性を確保している。
【００３６】
なお、外カバー２３は筐体２１と同色で同じ質感を与えるＡＢＳ樹脂やポリカーボネートといった樹脂材料もしくはＳＵＳやマグネシウムといった金属材料で形成される。内カバー２５はＡＢＳ樹脂などといった樹脂材料によって形成される。接着部２４はＵＶ接着や熱溶着などよって形成される。また、パッキン２６はシリコンゴムなどの弾性材料によって形成される。
【００３７】
また、図６に示すように、筐体２１に凹部２８を設け、内カバー２５のうち、−Ｚ方向に延伸された部分の先端に凹部２８に嵌め込まれる係止爪２５１を備える。
【００３８】
さらに、電池蓋１２の取り外しの工程を考慮し、外カバー２３は、内カバー２５の外周から−Ｙ方向に突出する突出部２３１と、突出部２３１から内カバー２５の厚み方向（ここでは−Ｚ方向）に突起する突起部２３２と、突起部２３２から＋Ｙ方向に（内カバー２５の接着部２４が設けられた面と反対側の面に）延伸された延伸部２３３とを備える。したがって、外カバー２３の突出部２３１、突起部２３２、延伸部２３３から構成される部分が内カバー２５の端部を挟持することとなる。なお、ここで、内カバー２５と、外カバー２３の延伸部２３３とが接着剤などによって接着されていてももちろんよい。
【００３９】
また、パッキン２６は内カバー２５と筐体２１のパッキン受け溝部２９の間によって圧縮されることによって開口部２７の防水性が確保される。なお、パッキン２６は内カバー２５と接着材などによって接着されてもよい。
【００４０】
以下、上述のように構成された携帯端末装置２０の電池蓋２２の取外し方法について説明する。
【００４１】
図５および図６に示すように、筐体２１に電池蓋２２が取り付けられている状態では、筐体２１の凹部２８と内カバーの係止爪２５１における嵌め込みにより、固定されている。上記状態において、外カバー２５の突出部２３１を基点として電池蓋２２を＋Ｚ方向に引き上げると、筐体の凹部２８と内カバーの係止爪２５１との係合が解除され、電池蓋２２を取り外すことができる。
【００４２】
この際、外カバー２３が単独で引き上げられるのではなく、延伸部２３３が内カバー２５を持ち上げるため、接着部２４における剥離方向の力が作用することを抑制し、接着部２４における電池蓋２２の脱着時の剥離現象を防止することができる。
【００４３】
なお、上記実施の形態１および２では、携帯端末装置として携帯電話機に本願発明を適用した例について説明したが、携帯電話機に限らず、ＰＤＡ等の携帯情報端末、パーソナルコンピュータ、さらには音楽プレーヤ、ＨＤＤプレーヤ、携帯型ゲーム機などの携帯機器にも適用可能である。
【産業上の利用可能性】
【００４４】
本発明は、携帯電話機などの電池駆動を行う電子機器の防水構造用途に有用である。また、電池蓋に限らず、他の蓋部の防水構造として各種電子機器に設置することも可能である。
【符号の説明】
【００４５】
１０、２０    携帯端末装置
１１、２１、７１    筐体
１２、２２    電池蓋
１３、２３、７３    外カバー
１４、２４、７４    接着部
１５、２５、７５    内カバー
１６、２６、７６    パッキン
１７、２７    開口部
１８、２８    凹部
１９、２９    パッキン受け溝部
１５１、２５１    係止爪
１５２    第１突出部
１５３    突起部
１５４    第２突出部
２３１    突出部
２３２    突起部
２３３    延伸部
【図１】
2013046197.tif 000003
【図２】
2013046197.tif 000004
【図３】
2013046197.tif 000005
【図４】
2013046197.tif 000006
【図５】
2013046197.tif 000007
【図６】
2013046197.tif 000008
【図７】
2013046197.tif 000009